(57)【要約】  プロペラ（７）に連結された軸系（６）を駆動するための機械エネルギーを発生するための少なくとも１つの主機（２）と、船の電気網（４）用の電気エネルギーを発生するための発電機設備（１２）と、主機（２）よりも高速で作動し、発電機設備（１２）を駆動するための機械エネルギーを発生するための少なくとも１つの補機（５）と、発電機設備（１２）から電気網（４）に供給される電気エネルギーの少なくとも一部を、軸系（６）を駆動するための機械エネルギーに変換することによって、または主機（２）から軸系（６）に引き渡される機械エネルギーの少なくとも一部を、電気網（４）に供給するための電気エネルギーに変換することによって、電気網（４）と軸系（６）の間にエネルギーの流れ（１３）を実現するための機構（８）とを含むエネルギーシステム（１）が、極力僅かな設置機械出力において、多種多様な要求に関して最適な運転を可能としなければならない。このため、このエネルギーの流れ（１３）の方向および値を制御することによってプロペラ（７）の駆動用および電気網（４）用に必要なエネルギーが提供され、かつ主機（２）と前記少なくとも１つの補機（５）とから成る総システムが設定可能な運転点で運転されることが提案される。【選択図】      図１
2009521363.tif 000002
【特許請求の範囲】
【請求項１】
プロペラ（７）に連結された軸系（６）を駆動するための機械エネルギーを発生するための少なくとも１つの主機（２）と、
船の電気網（４）用の電気エネルギーを発生するための発電機設備（１２）と、
主機（２）よりも高速で作動し、発電機設備（１２）を駆動するための機械エネルギーを発生するための少なくとも１つの補機（５）と、
発電機設備（１２）から電気網（４）に供給される電気エネルギーの少なくとも一部を、軸系（６）を駆動するための機械エネルギーに変換することによって、もしくは主機（２）から軸系（６）に引き渡される機械エネルギーの少なくとも一部を、電気網（４）に供給するための電気エネルギーに変換することによって、電気網（４）と軸系（６）の間にエネルギーの流れ（１３）を実現するための機構（８）とを含む船、特に大型貨物船のエネルギーシステム（１）を運転するための方法において、
このエネルギーの流れ（１３）の方向および値を制御することによって、プロペラ（７）の駆動用および電気網（４）用に必要なエネルギーが提供され、主機（２）と前記少なくとも１つの補機（５）とから成る総システムが設定可能な運転点で運転される方法。
【請求項２】
設定可能な運転点が単数または複数の運転パラメータ（Ｃ、Ｅ）によって特徴付けられる請求項１記載の方法。
【請求項３】
運転パラメータが、主機（２）と少なくとも１つの補機（３）とから成る総システムの補機（５）の燃料需要（Ｃ）、エミッション（Ｅ）および／または作動時間を含む請求項２記載の方法。
【請求項４】
主機（２）と少なくとも１つの補機（５）とから成る総システム用もしくは総システム内の前記少なくとも１つの補機の燃料需要（Ｃ）または排気エミッション（Ｅ）または作動時間が、設定可能な運転点で最少である請求項１記載の方法。
【請求項５】
複数の運転パラメータ（Ｃ、Ｅ）にそれぞれ異なる優先度が割り当てられており、設定可能な運転点で運転パラメータがそれらの優先度の順序で最適化されている請求項２記載の方法。
【請求項６】
電気網（４）と軸系（６）との間にエネルギーの流れ（１３）を実現するための機構が、軸系（６）と機械的に連結されかつインバータ（９）を介して電気網（４）と電気的に結合された電動機／発電機ユニット（８）を含む請求項１記載の方法。
【請求項７】
運転中、設定可能な運転点に対する実際の運転点の偏差が求められる請求項１ないし６のいずれか１つに記載の方法。
【請求項８】
実際の運転点を設定可能な運転点に近づけるための措置を開始するために船員に偏差が表示される請求項７記載の方法。
【請求項９】
偏差のとき、電気網（４）と軸系（６）との間のエネルギーの流れ（１３）の方向および値を制御することによって実際の運転点が設定可能な運転点に自動的に近づけられる請求項７記載の方法。
【請求項１０】
特に請求項１ないし９のいずれか１つに記載の方法を実施するための船用エネルギーシステム（１）であって、
プロペラ（７）に連結された軸系（６）を駆動するための機械エネルギーを発生するための少なくとも１つの主機（２）と、
船の電気網（４）用の電気エネルギーを発生するための発電機設備（１２）と、
主機（２）よりも高速で作動し、発電機設備（１２）を駆動するための機械エネルギーを発生するための少なくとも１つの補機（５）と、
発電機設備（１２）から電気網（４）に供給される電気エネルギーの少なくとも一部を、軸系（６）を駆動するための機械エネルギーに変換することによって、または主機（２）から軸系（６）に引き渡される機械エネルギーの少なくとも一部を、電気網（４）に供給するための電気エネルギーに変換することによって、電気網（４）と軸系（６）の間にエネルギーの流れ（１３）を実現するための機構（８）とを含むものにおいて、
プロペラ（７）の駆動用および電気網（４）への供給用に必要なエネルギーが提供可能であり、かつ主機（２）と前記少なくとも１つの補機（５）とから成る総システムが設定可能な運転点で運転可能であるように、電気網と軸系との間にエネルギーの流れを実現するための機構（８）によってエネルギーの流れ（１３）の方向および値を制御するための制御機構（１５）を含むエネルギーシステム。
【請求項１１】
電気網（４）と軸系（６）との間にエネルギーの流れ（１３）を実現するための機構が、軸系（６）と機械的に連結されかつインバータ（９）を介して電気網（４）と電気的に結合された電動機／発電機ユニット（８）を含む請求項１０記載のエネルギーシステム。
【請求項１２】
発電機設備（１２）が、主機（２）の廃熱から電気エネルギーを発生するための廃熱回収システムの発電機（３３）を少なくとも１つ含む請求項１１記載のエネルギーシステム。
【請求項１３】
電動機／発電機ユニット（８）の定格出力が主機（２）の定格出力の少なくとも５％である請求項１２記載のエネルギーシステム。
【請求項１４】
プロペラ（７）が、調整駆動装置によってそのピッチを調整可能なプロペラ羽根を有する請求項１３記載のエネルギーシステム。
【発明の詳細な説明】
【技術分野】
【０００１】
本発明は、請求項１の前文に記載した船、特に大型貨物船のエネルギーシステムを運転するための方法および請求項１０の前文に記載したこの方法に適したエネルギーシステムに関する。
【背景技術】
【０００２】
このようなエネルギーシステムは例えば独国特許出願公開第３５３１９９０号明細書により公知である。
【０００３】
船内のエネルギーシステムは、船およびその電気負荷を運転するためのエネルギーを発生し変換し伝送するのに役立つ。大型貨物船、例えばコンテナ船用のエネルギーシステムはふつう、軸系、例えばプロペラに連結されたプロペラ軸を駆動するための機械エネルギーを発生するための低速で作動する２サイクルディーゼル機関の態様の主機を含む。このような機関の駆動出力は約１０ＭＷで始まり、現在約１００ＭＷに達している。
【０００４】
付加的にエネルギーシステムは、船の電気網用電気エネルギーを発生するための１つの発電機設備と、発電機設備を駆動するための約２〜４ＭＷの出力で主機よりも高速で作動する有利には中速ないし高速で作動する４サイクルディーゼル機関の態様の複数の補機とを含む。各補機はふつう発電機設備のそれぞれ１つの発電機を駆動する。例えばやはり電気エネルギーを機械エネルギーに変換する補助駆動装置、熱、冷熱および光を発生するための電気機器、航法、通信および船を制御するための電気機器等の電気負荷は、電気網から電気エネルギーを供給される。
【０００５】
独国特許出願公開第３５３１９９０号明細書により公知の船用エネルギーシステムはさらに電動機／発電機を有し、この電動機／発電機は電気網から出力を取り出して駆動軸に転送し、または主機の過剰な駆動出力を搭載電気系統に引き渡す。こうして電動機／発電機により、発電機設備から電気網に供給される電気エネルギーの少なくとも一部を、軸系を駆動するための機械エネルギーに変換することによって、または主機から軸系に引き渡される機械エネルギーの少なくとも一部を電気網に供給するための電気エネルギーに変換することによって、電気網と軸系との間に、従って主機から電気網への、もしくは電気網からプロペラへのエネルギーの流れを発生することができる。これにより、ディーゼル機関の態様で船に設置された総出力は一層良好に利用することができる。
【０００６】
競争圧力が強まる時代に貨物船の所有者は船の調達費および運転費を極力低く抑えようと努める。その際、調達費の主要部分となるのは船内に設置された機械出力用の費用であり、運転費では燃料費と整備費である。運転費は、設置機械のその都度の運転点に依存した一連の運転パラメータによって決まる。主要な運転パラメータは燃料消費量である。燃料消費量を下げることによって同じ燃料量において航行距離は増大させることができ、または一定した航行距離において所要の燃料量は、従ってタンク用スペース需要および重量も、減らすことができる。機械の作動時間を最適化することによって整備費は節約することができる。さらに、船の運転時例えば港湾領域内では排気エミッション規則を守らねばならず、または発生する騒音を極力低くしなければならない。こうしてエネルギーシステムは多種多様な要請を受けており、多種多様な境界条件のもとで柔軟に反応しなければならない。
【発明の開示】
【発明が解決しようとする課題】
【０００７】
そのことを前提に本発明の課題は、極力僅かな設置機械出力においてエネルギーシステムの運転を多種多様な要求に関して柔軟に最適化することができる冒頭に指摘したエネルギーシステムの運転方法を明示することである。さらに、この方法を実施するのに適したエネルギーシステムが明示されねばならない。
【課題を解決するための手段】
【０００８】
この課題の解決は請求項１に係る方法によってなされる。この方法の有利な諸構成はそれぞれ請求項２ないし９の対象である。この方法を実施するのに適したエネルギーシステムは請求項１０の対象である。このエネルギーシステムの有利な諸構成はそれぞれ請求項１１ないし１４の対象である。
【０００９】
本発明に係る方法では、一方で電気網と軸系との間のエネルギーの流れの方向および値を制御することによって、プロペラの駆動用および電気網用に必要なエネルギーが提供され、しかし他方で主機と前記少なくとも１つの補機とから成る総システムが設定可能な運転点で運転される。
【００１０】
その際本発明は、大抵の運転事例において主機の出力または前記少なくとも１つの補機の出力のいずれかが一部利用されるだけであるとの認識から出発する。電気網から軸系へのエネルギーの流れによって、補機の側に存在する予備出力はプロペラを駆動するのに利用することができ、こうして補機が付加的に負荷され、主機は負担軽減される。その逆に軸系から電気網へのエネルギーの流れによって主機は付加的に負荷され、同時に補機が負担軽減される。
【００１１】
エネルギーの流れの方向および値を制御することによって予備出力は柔軟に扱うことができ、エネルギーシステム内で全体として一層良好に利用することができ、それとともに所望する船舶速度用、プロペラ駆動用および電気負荷用に必要なエネルギーを提供することができる。しかし特に、エネルギー発生機において不必要な予備出力は避けることもでき、従って設置機械出力用調達費を減らすことができる。こうして、主機は１つまたは２つ少ないシリンダで実施することが可能であり、そのことから主機用費用とそのスペース需要が低下する。
【００１２】
しかし個々のエネルギー発生機のエネルギーの流れと結び付いた付加的負荷または負担軽減は運転点の変化、従ってその運転パラメータの変化、例えば燃料消費量、エミッションまたは作動時間の変化と結び付いている。それとともに、エネルギーの流れの方向および値を制御することによってこれらの運転パラメータは適切に変更することができ、これにより総システム用の設定可能な運転点は調整することができる。
【００１３】
設定可能な運転点は単数または複数の運転パラメータによって特徴付けることができる。好ましくは、運転パラメータは、主機と少なくとも１つの補機とから成る総システムの補機の燃料需要、排気エミッションおよび／または作動時間を含む。その場合、主機と少なくとも１つの補機とから成る総システム用もしくは総システム内の前記少なくとも１つの補機の燃料需要または排気エミッションまたは作動時間は設定可能な運転点で最少である。
【００１４】
好ましくは、複数の運転パラメータにそれぞれ異なる優先度が割り当てられており、設定可能な運転点で運転パラメータはそれらの優先度の順序で最適化されている。例えば、第１優先度は総システムの極力低い排気エミッションに妥当し、第２優先度は総システムの極力低い燃料消費量に妥当し、第３優先度は総システム内の補機の極力少ない作動時間に妥当する。
【００１５】
電気網と軸系との間にエネルギーの流れを実現するための機構は、好ましくは、軸系と機械的に連結されかつインバータを介して船舶電源と電気的に結合された電動機／発電機ユニットを含む。その際、電動機／発電機ユニットとは、電動機としても発電機としても運転することのできる電気機械のことである。その際、インバータは電動機／発電機ユニットからのもしくはそこへのエネルギーの流れの方向および値を制御するのに役立ち、電動機／発電機ユニットはこの電気エネルギーを機械エネルギーもしくはその逆に変換するのに役立つ。
【００１６】
本発明に係るエネルギーシステムは、
プロペラに連結された軸系を駆動するための機械エネルギーを発生するための少なくとも１つの主機と、
船の電気網用の電気エネルギーを発生するための発電機設備と、
主機よりも高速で作動し、発電機設備を駆動するための機械エネルギーを発生するための少なくとも１つの補機と、
発電機設備から電気網に供給される電気エネルギーの少なくとも一部を、軸系を駆動するための機械エネルギーに変換することによって、または主機から軸系に引き渡される機械エネルギーの少なくとも一部を、電気網に供給するための電気エネルギーに変換することによって、電気網と軸系の間にエネルギーの流れを実現するための機構と、
プロペラの駆動用および電気網への供給用に必要なエネルギーが提供可能であり、かつ主機と前記少なくとも１つの補機とから成る総システムが設定可能な運転点で運転可能であるように、電気網と軸系との間にエネルギーの流れを実現するための機構によってエネルギーの流れの方向および値を制御するための制御機構とを含む。
【００１７】
本発明と、従属請求項の特徴による本発明のその他の有利な諸構成が、以下で図の実施例に基づいて詳しく説明される。
【発明を実施するための最良の形態】
【００１８】
図１が著しく簡略して示す本発明に係るエネルギーシステム１は、主機としての低速で作動する１つの２サイクルディーゼル機関２と、電気エネルギーを電気網４に供給する複数の発電機３を含む１つの発電機設備１２と、中速ないし高速で作動する４サイクルディーゼル機関５として実施される４つの補機とを含み、各補機は発電機設備１２の各１つの発電機３を駆動する。ふつうそれぞれ１つの発電機３と１つのディーゼル機関５が１つのディーゼル発電機組立体１４もしくは１４’を形成する。その際、ディーゼル発電機組立体１４’はディーゼル発電機組立体の１つ１４が故障時の予備として設けられている。ディーゼル機関２はプロペラ軸６を介して、船を駆動するためのプロペラ７を駆動し、ふつう１０ＭＷ超の定格出力を有する。貨物船用個別機関の場合、出力範囲は約１００ＭＷで終了する。ディーゼル機関５はふつう５ＭＷ以下の出力を有する。
【００１９】
ユニットとして形成される軸電動機／発電機８はプロペラ軸６と機械的に連結され、インバータ９、場合によっては変圧器１０とスイッチ１１とを介して電気網４と電気的に結合されている。軸電動機／発電機８は、好ましくは低速で作動する同期機として形成されており、有利には伝動装置を介装することなくプロペラ軸６に直接作用する。しかし軸電動機／発電機８は伝動装置を介してプロペラ軸６に連結しておくこともでき、または主機のクランク軸と、しかもプロペラ軸から遠く離れた末端で、連結しておくことができる。同期機の場合、インバータ９を介して軸電動機／発電機８に電界エネルギーが供給され、またやはり電気網４に結合された詳しくは図示しない第２インバータを介して励起エネルギーが供給される。インバータ９は軸電動機／発電機８および電気網の種類に応じて例えば電流中間回路インバータまたは電圧中間回路インバータとして形成しておくことができる。この点について当業者には多種多様なインバータ技術が公知である。軸電動機／発電機８およびインバータ９を頼りに電気網４とプロペラ軸６との間にエネルギーの流れ１３が実現可能である。好ましくは、軸電動機／発電機８の定格出力はディーゼル機関２の定格出力の少なくとも５％である。
【００２０】
電気網４からスイッチ１１’を介して、例えばやはり電気エネルギーを機械エネルギーに変換する補助駆動装置、熱、冷熱および光を発生するための電気機器、航法、通信および船を制御するための電気機器等の電気負荷に電気エネルギーが供給される。
【００２１】
コンテナ船の場合ディーゼル発電機組立体１４はふつう、電気網４によって最大必要とされる出力に合せて設計されている。実際の出力需要Ｐが時間ｔとの関係で図２に概略示してある。大抵の船舶航行時間の間、基本荷重ＰＢが例えば船の照明装置、航法システム、通信システムおよび制御システム用に必要とされるにすぎない。付加的に港湾領域ではスラスター用の付加的出力ＰＴが必要とされる。船の積み込み後の第１時間では冷凍コンテナの冷却用に付加的冷却出力ＰＲが必要とされる。従って、ディーゼル発電機組立体１３は最大出力Ｐｍａｘ＝ＰＧ＋ＰＲ＋ＰＴに合せて設計されている。しかしこの最大電気出力は港湾領域の外側では、従って船の大抵の運転時間の間はまったく必要とされない。それゆえに、必要のない予備出力はプロペラ軸６の駆動に利用することができ、船の一定した最大駆動出力においてディーゼル機関２は一層低い出力で設計することができ、またはディーゼル機関２の一定した駆動出力において船の総駆動出力、従ってその航行速度は高めることができる。軸電動機／発電機８はこのため電動機運転で運転され、このためインバータ９を介して網４から電気エネルギーを供給される。こうしてエネルギーの流れ１３は電気網４からプロペラ軸６へと向かう。
【００２２】
その逆に、軸電動機／発電機８を頼りにディーゼル機関２の予備出力は網４に電気エネルギーを付加的に供給するのに利用することもできる。軸電動機／発電機８を発電機運転で運転する場合、ディーゼル機関２からプロペラ軸６に引き渡される機械エネルギーの一部は電気エネルギーに変換され、インバータ９を介して網４に供給される。その場合、エネルギーの流れ１３はプロペラ軸６から電気網４へと向かう。
【００２３】
エネルギーシステム１はさらに、エネルギーシステム１の運転を最適化するための運転最適化機構１５を含む。運転最適化機構１５がエネルギーの流れ１３の方向および値を制御して、プロペラの駆動用に必要とされる駆動出力でプロペラ軸６が駆動され、所要の電気エネルギーが電気網４に供給され、他方で低速で作動するディーゼル機関２と高速で作動するディーゼル機関５とから成るエネルギー発生機の総システムが設定可能な運転点で運転されるようにする。
【００２４】
船の運転時（図３参照）、第１ステップ２０において運転最適化機構１５に船員は最適化すべき運転パラメータを問い合わせる。これは例えば出力ユニット１６、例えばディスプレイに表示された選択メニューを頼りに行うことができる。船員は引き続き入力ユニット１７、例えばキーボードを介して、表示された単数または複数の運転パラメータを選択し、選択した運転パラメータに優先度を割り当てることができる。選択的に、最適化すべき運転パラメータは運転最適化機構１５内に既に固定式に記憶させておくこともできる。
【００２５】
引き続き運転最適化機構はステップ２１においてプロペラ７の駆動用および電気網４用の実際のエネルギー需要を検出する。このために必要なデータは例えば船の主制御装置、機関テレグラフ、船舶電源制御装置等から得ることができる。
【００２６】
引き続きステップ２２において低速で作動するディーゼル機関２および高速で作動するディーゼル機関５の実際の運転点が、最適化すべき運転パラメータに関して求められ、またそこから、低速で作動するディーゼル機関２と高速で作動するディーゼル機関５とから成る総システムの実際の運転点が、最適化すべき運転パラメータに関して求められる。運転点もしくは最適化すべき運転パラメータの判定は、ディーゼル機関２、５の運転パラメータ、例えばその燃料消費量を測定することによって直接行われるか、または別の測定した運転パラメータからこの運転パラメータを導き出すことによって間接的に行われるかのいずれかである。
【００２７】
それを受けてステップ２３では運転最適化機構によって総システム用の実際のエネルギー需要をカバーするための最適運転点が求められ、同時に総システム用運転パラメータがそれらの優先度の順序で最適化される。このため運転最適化機構１５内にディーゼル機関２、５のそれぞれについて、ディーゼル機関のエネルギー出力と各運転パラメータ、例えば各燃料消費量、エミッションまたは作動時間との関係を示すデータが記憶されている。
【００２８】
図４はこのため例示的に燃料消費量Ｃと出力Ｐとの関係を２サイクルディーゼル機関２について示し、図５は４サイクルディーゼル機関５について示す。図６は２サイクルディーゼル機関２の排気エミッションＥと出力Ｐとの関係を示す。
【００２９】
最適化すべき運転パラメータに関して総システムの最適運転点と実際の運転点との間に偏差がある場合、偏差はステップ２４において出力ユニット１６で船員に表示することができ、こうして船員は例えば行動勧告を出力することによって、電気網４からプロペラ軸６またはその逆へのエネルギーの流れの最適な方向および値が調整され、こうして総システムの運転点が最適運転点に近づくよう促すことができる。偏差に関する特定限界値を上まわると、運転最適化機構１５からスピーカ１８を介して音響警報信号を発することもできる。
【００３０】
選択的に、運転最適化機構はステップ２４において自動的に、またプロペラ軸６と電気網４との間のエネルギーの流れ１３を相応に制御することによって自動化されて、総システムの運転点を所望の最適運転点に近づけることもできる。運転最適化機構１５はこのため制御線路１９を介して一方でインバータ９と結合され、他方でエネルギー発生機、すなわちディーゼル機関２、５の詳しくは図示しない制御機構と結合され、これによりディーゼル機関２およびディーゼル機関５の出力、従って運転点、インバータ９内の電気の流れ、従って軸電動機／発電機８を介してのエネルギーの流れを制御し、最適化すべき運転パラメータがそれらの優先度の順序で最適化されるようにする。
【００３１】
運転最適化機構１５によっていまや、図３にステップ２４からステップ２１へのリターンで示唆したように、実際のエネルギー需要が持続的に求められ、エネルギー需要の変化時に最適運転点が求められ、引き続き実際の運転点の偏差が船員に表示され、またはエネルギーの流れ１３の相応する制御によって総システム用最適運転点が自動的に調整される。運転最適化機構１５内の自己学習構造を頼りになお他の最適化を行うことができる。
【００３２】
船内に設置された出力の利用および最適運転点の調整における柔軟性は、主機２の廃熱から電気エネルギーを発生するための廃熱回収システムの少なくとも１つの発電機を発電機設備が付加的に含むことによってなお改善することができる。
【００３３】
この点について図７は図１に示すエネルギーシステム１を示しており、このエネルギーシステムは、ディーゼル機関２の詳しくは図示しない廃熱回収システムのタービン３１、３２によって駆動される１つの発電機３３を付加的に有し、発生されたその電気エネルギーは電気網４に供給可能、また電気網４、インバータ９および軸電動機／発電機８を介して機械エネルギーとしてもプロペラ軸６に供給可能である。ところで発電機３３の出力を５ＭＷ、ディーゼル機関５によって海側で提供される出力を５ＭＷ、軸電動機／発電機８の出力を１０ＭＷと仮定して、ディーゼル機関２の駆動出力は１０ＭＷだけ小さくすることができ、従って例えばディーゼル機関２は１１ではなく僅かに９つのシリンダで実施することができる。電気網４とプロペラ軸６との間のエネルギーの流れ１３を制御することによって設置出力は最適に利用することができ、さらに総システムは所定の最適運転点で運転することができる。
【００３４】
図８に示すエネルギーシステム３１は、なお１つの第２軸発電機／電動機３８を含み、これが機械的にプロペラ軸６と連結され、またインバータ３９を介して電気網４と電気的に結合されていることによって、図７に示すエネルギーシステムと相違している。例えば１０ＭＷの高出力の軸電動機／発電機の代わりに、いまや半分の出力、すなわち例えばそれぞれ５ＭＷの２つの軸電動機／発電機８、３８を設けることができ、図５に示すエネルギーシステムにおけると同じ諸利点を達成することができる。
【００３５】
最適運転点の調整における柔軟性のさらなる高まりは、プロペラが７枚のプロペラ羽根を有し、プロペラ羽根がそのピッチを調整駆動装置によって調整可能であることによって可能である。最適運転点の調整における柔軟性の高まりの他に、一定した総駆動出力において、ディーゼル機関２用に必要な出力はさらになお低減することができ、図７、図８の実施例の場合、ディーゼル機関２は９つの代わりに僅かに８つのシリンダで実施することができる。
【図面の簡単な説明】
【００３６】
【図１】コンテナ船用の本発明に係るエネルギーシステムを示す。
【図２】図１の電気網の出力需要Ｐと時間との関係を示す線図である。
【図３】設定可能な最適運転点を調整するための方法経過を示す。
【図４】ディーゼル機関の燃料需要および排気エミッションと発生された出力との関係を示す線図の例を示す。
【図５】ディーゼル機関の燃料需要および排気エミッションと発生された出力との関係を示す線図の例を示す。
【図６】ディーゼル機関の燃料需要および排気エミッションと発生された出力との関係を示す線図の例を示す。
【図７】廃熱回収システムの１つの発電機と単一の軸電動機／発電機とを有する図１のエネルギーシステムを示す。
【図８】廃熱回収システムの１つの発電機と２つの軸電動機／発電機とを有する図１のエネルギーシステムを示す。
【符号の説明】
【００３７】
１  エネルギーシステム
２  主機
３  補機
４  電気網
５  補機
６  軸系
７  プロペラ
８  機構
９  インバータ
１２  発電機設備
１３  エネルギーの流れ
１５  制御機構
Ｃ  燃料需要
Ｅ  排気エミッション
【図１】
2009521363.tif 000003
【図２】
2009521363.tif 000004
【図３】
2009521363.tif 000005
【図４】
2009521363.tif 000006
【図５】
2009521363.tif 000007
【図６】
2009521363.tif 000008
【図７】
2009521363.tif 000009
【図８】
2009521363.tif 000010
【国際調査報告】
2009521363.tif 000011
2009521363.tif 000012
2009521363.tif 000013
2009521363.tif 000014
2009521363.tif 000015
2009521363.tif 000016